【手続補正書】
【提出日】平成25年11月8日(2013.11.8)
【手続補正１】
【補正対象書類名】明細書
【補正対象項目名】発明の名称
【補正方法】変更
【補正の内容】
【発明の名称】冷蔵庫
【手続補正２】
【補正対象書類名】明細書
【補正対象項目名】０００１
【補正方法】変更
【補正の内容】
【０００１】
この発明は、ナノミストを発生させる静電霧化装置、冷蔵庫やショーケースや業務用冷蔵庫や貯蔵庫などや空気調和機（空気清浄機や加湿器なども含む）などの（家電）機器、機器の中の冷蔵庫に関する。
【手続補正３】
【補正対象書類名】明細書
【補正対象項目名】００３０
【補正方法】変更
【補正の内容】
【００３０】
この発明に係る冷蔵庫は、
放熱部と、前記放熱部を冷却することで生成される結露水を使用して電圧が印加されることでミストを発生する放電電極と、を有する霧化装置と、
前記霧化装置の少なくとも一部あるいは全部が収納される凹部が設けられた仕切壁を有する第１の貯蔵室と、
前記凹部に少なくとも一部あるいは全部が収納された前記霧化装置の前面に設けられたカバーと、
を備え、
前記霧化装置は前記カバーと一体に形成されて前記第１の貯蔵室の室内側から前記カバーとともに取り外せるようにしたことを特徴とする。
【手続補正４】
【補正対象書類名】特許請求の範囲
【補正対象項目名】全文
【補正方法】変更
【補正の内容】
【特許請求の範囲】
【請求項１】
放熱部と、前記放熱部を冷却することで生成される結露水を使用して電圧が印加されることでミストを発生する放電電極と、を有する霧化装置と、
前記霧化装置の少なくとも一部あるいは全部が収納される凹部が設けられた仕切壁を有する第１の貯蔵室と、
前記凹部に少なくとも一部あるいは全部が収納された前記霧化装置の前面に設けられたカバーと、
を備え、
前記霧化装置は前記カバーと一体に形成されて前記第１の貯蔵室の室内側から前記カバーとともに取り外せるようにしたことを特徴とする冷蔵庫。
【請求項２】
放熱部が冷却されることで生成される結露水を使用して放電電極に電圧を印加することでミストを生成する霧化装置と、
前記霧化装置の少なくとも一部が収納される凹部が設けられた仕切壁を有する第１の貯蔵室と、
前記凹部に設けられた開口部を有するカバーと、
を備え、
前記霧化装置は前記カバーと一体に形成されて前記第１の貯蔵室の室内側から前記カバーとともに取り外せるように取り付けられており、
前記凹部に設置された前記霧化装置にて生成されたミストが前記開口部より前記第１の貯蔵室に供給されるようにしたことを特徴とする冷蔵庫。
【請求項３】
放熱部と、前記放熱部を冷却することで生成される結露水を使用して電圧が印加されることでミストを発生する放電電極と、を有する霧化装置と、
前記放電電極に電圧を印加する電源部と、
前記霧化装置が設けられた仕切壁を有する第１の貯蔵室と、
前記霧化装置の前面に設けられたカバーと、
を備え、
前記霧化装置及び前記電源部は前記カバーと一体に形成されて前記第１の貯蔵室の室内側から前記カバーとともに取り外せるようにしたことを特徴とする冷蔵庫。
【請求項４】
前記霧化装置で生成されたミストが供給される前記第１の貯蔵室とは異なる第２の貯蔵室と、
前記第２の貯蔵室に設けられ、前記第２の貯蔵室内にミストが供給されるミスト供給口と、を備え、
前記霧化装置にて生成されたミストが前記仕切壁に設けられた風路を介して前記ミスト供給口より前記第２の貯蔵室内に供給されるようにしたことを特徴とする請求項１乃至請求項３のいずれかに記載の冷蔵庫。
【請求項５】
前記霧化装置は、対向電極を備え、前記対向電極も前記カバーと一体に形成されていることを特徴とする請求項１乃至請求項４のいずれかに記載の冷蔵庫。
【請求項６】
前記霧化装置が第１の貯蔵室の背面または上面または側面に設けられていることを特徴とする請求項１乃至請求項５のいずれかに記載の冷蔵庫。
【請求項７】
前記仕切壁が、前記第１の貯蔵室と前記第１の貯蔵室とは異なる第３の貯蔵室とを仕切る仕切壁であることを特徴とする請求項１乃至請求項６のいずれかに記載の冷蔵庫。
【請求項８】
前記風路が前記第１の貯蔵室の背面または側面に設けられていることを特徴とする請求項４に記載の冷蔵庫。
【請求項９】
前記風路が前記第２の貯蔵室の背面または側面に設けられていることを特徴とする請求項４に記載の冷蔵庫。
【請求項１０】
前記霧化装置が前記第１の貯蔵室の上部に設けられ、前記第１の貯蔵室へ前記ミストを重力により供給するようにしたことを特徴とする請求項１乃至請求項９のいずれかに記載の冷蔵庫。
【請求項１１】
前記第２の貯蔵室にミスト噴霧口が設けられたミスト噴霧用カバーを設け、前記ミスト噴霧口より前記第２の貯蔵室にミストを供給するようにしたことを特徴とする請求項４に記載の冷蔵庫。
【請求項１２】
前記第２の貯蔵室に設けられた庫内棚と、
前記第２の貯蔵室に設けられ、前記第２の貯蔵室の開閉を行う開閉扉と、
前記第２の貯蔵室の前面側に設けられ、前記開閉扉が開放されたときに前記第２の貯蔵室内を照射する貯蔵室内照明と、を備え、
前記貯蔵室内照明がＬＥＤであり、前記ＬＥＤが前記庫内棚の側壁の前縁よりも前側に設けられ、前記ミスト供給口が前記第２の貯蔵室の背面に設けられていることを特徴とする請求項４、請求項８、又は、請求項９に記載の冷蔵庫。
【請求項１３】
前記第１の貯蔵室には開閉扉が設けられており、前記開閉扉の開または閉と連動して前記霧化装置を動作または停止させるか、あるいは、前記開閉扉の開または閉と連動して所定時間だけ前記霧化装置を動作させるようにしたことを特徴とする請求項１乃至請求項１２のいずれかに記載の冷蔵庫。
【請求項１４】
冷却器で生成された冷気を前記第１の貯蔵室あるいは前記第２の貯蔵室に送風する冷気循環ファンを備え、前記冷気循環ファンのオンまたはオフと連動して前記霧化装置を動作または停止させるようにしたことを特徴とする請求項４、請求項８、又は、請求項９に記載の冷蔵庫。
【請求項１５】
前記霧化装置の動作状況や動作の強さを操作パネルに表示部に表示させるようにしたことを特徴とする請求項１乃至請求項１４のいずれかに記載の冷蔵庫。
【請求項１６】
前記霧化装置以外の圧縮機などの機能部品を備え、前記機能部品あるいは冷蔵庫本体の標準使用期間を定めて、前記標準使用期間を前記冷蔵庫本体に表示するようにしたことを特徴とすることを請求項１乃至請求項１５のいずれかに記載の冷蔵庫。
【請求項１７】
前記霧化装置以外の圧縮機などの機能部品と、現在の使用期間を計測する計測手段と、前記機能部品または冷蔵庫本体の予め定められた標準使用期間を記憶する記憶手段と、を備え、前記標準使用期間と前記計測手段で計測した現在の使用期間を表示するようにしたことを特徴とする請求項１乃至請求項１６のいずれかに記載の冷蔵庫。
【請求項１８】
前記霧化装置以外の圧縮機などの機能部品と、現在の使用期間を計測する計測手段と、前記機能部品または冷蔵庫本体の予め定められた標準使用期間を記憶する記憶手段と、を備え、前記計測手段で計測した現在の使用期間より前記標準使用期間に対する使用可能な残りの使用期間を求め、前記残りの使用期間を表示するようにしたことを特徴とする請求項１乃至請求項１７のいずれかに記載の冷蔵庫。
【請求項１９】
前記残りの使用期間が所定期間よりも少なくなった場合に、買い替えやサービスを促すメッセージを表示させるようにしたことを特徴とする請求項１８に記載の冷蔵庫。
【請求項２０】
使用電力量を測定する手段を備え、前記使用電力量あるいは電気代あるいはＣＯ２排出量を表示するようにしたことを特徴とする請求項１乃至請求項１９のいずれかに記載の冷蔵庫。
【請求項２１】
前記第１の貯蔵室を冷却して温度が上昇した冷気が流れる戻り風路を前記仕切壁に備え、前記霧化装置を前記戻り風路内に設けたことを特徴とする請求項３に記載の冷蔵庫。
【請求項２２】
前記風路が、前記第１の貯蔵室を冷却して温度の高くなった冷気が流れる風路であることを特徴とする請求項４、請求項８、又は、請求項９に記載の冷蔵庫。
【請求項２３】
前記霧化装置は、前記凹部に冷気を取り込む冷気取り込み口を備え、前記冷気取り込み口より取りこまれた冷気が前記凹部内でミストと混合されて前記第１の貯蔵室に供給され、前記ミストを含んだ冷気を風路を介して前記第１の貯蔵室とは異なる第２の貯蔵室に供給するようにしたことを特徴とする請求項１又は２記載の冷蔵庫。
【請求項２４】
上段に設けられた冷蔵室と、
前記冷蔵室の下方に設けられた下段の野菜室と、
前記冷蔵室の下方でかつ、前記野菜室の上部に設けられた冷凍室と、
を、備え、
前記第１の貯蔵室が野菜室であることを特徴とする請求項１乃至請求項２３のいずれかに記載の冷蔵庫。
【請求項２５】
前記霧化装置は前記第１の貯蔵室の上部に設けられ、前記第１の貯蔵室には重力によってミストを供給し、前記第２の貯蔵室には前記風路を介してミストを供給するようにしたことを特徴とする請求項４、請求項８、又は、請求項９に記載の冷蔵庫。